(57)【特許請求の範囲】
【請求項１】
設置床面に敷設される支持部材を介して上面パネルを支承してなる二重床構造において、該支持部材が、縦横に並設される複数の中間支持柱と、四隅に形成される隅部と、該中間支持柱間を連結する可撓性の連結腕とにより略方形状に形成されるとともに、該隅部には、隅部支持柱が設けられ、かつ、鋼板製で略三角形状の上面パネルが、該隅部支持柱上で、平面視方形状となるように、二枚支承されてなるとともに、前記隅部支持柱は、筒状で下方が開口している連結胴部と、上面に前記上面パネルを支承する支承面を有してなり、設置床面に敷設された隣接する四枚の前記支持部材の隅部集合部に該連結胴部を係合して連結してなり、前記隅部支持柱の支承面は、中間支持柱の先端よりも高い位置にあることを特徴とする。二重床構造。
【請求項２】
方形状に支承される二枚の前記上面パネルは、向い合う斜辺部間に形成される、可撓性の接合変形部によって連結されていることを特徴とする、請求項１記載の二重床構造。
【請求項３】
前記上面パネルは、側辺部を下方に折曲げた補強部を有することを特徴とする、請求項１または２記載の二重床構造。
【請求項４】
前記隅部支持柱は、前記隅部に一体的に形成されていることを特徴とする、請求項１、２または３記載の二重床構造。
【請求項５】
前記隅部支持柱は、前記隅部上に一体に突設される支持部と、筒状で下方が開口し、上面には該支持部を挿通する挿通孔を有する金属製の連結支柱とよりなり、設置床面に敷設された隣接する四枚の前記支持部材の隅部集合部分で、該連結支柱を係合するとともに、該支持部が該挿通孔より連結支柱上面に突出してなることを特徴とする、請求項１、２または３記載の二重床構造。
【発明の詳細な説明】
【０００１】
【産業上の利用分野】
本発明は、建築物の設置床面に敷設して使用される二重床において、上面パネルを複数の支持柱によって支承するための支持構造に関するものである。
【０００２】
【従来の技術】
従来、一体的に形成された可撓性の支持部材を建物の設置床面に複数敷設し、支持部材上に剛性のある上面パネルを敷設する二重床として、特開平４−１３５６号公報に記載のものが有る。  この従来例においては、設置床面の不陸に対して支持部材が追従するものの、上面パネルの支持部分の高さが一定はでないために、剛性のある上面パネルを支持をしている部分と支持をしていない部分が発生して、上面パネルが安定せずにがたつきを生じる。
【０００３】
設置床面の不陸に対して、支持部材と上面パネルの両方が追従して、上面パネルのがたつきを防止する二重床としては、実開平５−２２７５７号公報に記載のものが有り、一体的に形成されて可撓性の支持部材を設置床面に複数敷設し、支持部材上に可撓性の上面パネルを敷設した後、支持部材とパネルを係止している。  しかし、設置床面の不陸に追従した支持部材の係止部分は、向きや高さが一定しておらず、可撓性の上面パネルの係合部と一致させて係止させる作業は困難であり、施工性が悪い。  また、可撓性のある部材を上面パネルとして使用するためには支持部分が多数必要である。  このため、支持部材と上面パネルの係止作業が多数必要であるとともに、支持部分により配線空間を広く確保することができなくなる。
【０００４】
【発明が解決しようとする課題】
本発明は、前記した従来技術の問題点を解消することを目的とするものであって、建物の設置床面の不陸に対して、支持部材と上面パネルの両方が追従する構造において、上面パネルのがたつきを防止すると共に、施工が容易で、配線空間を広く確保することができる二重床構造を提供することにある。
【０００５】
【課題を解決するための手段】
前記課題を解決するため、本発明による二重床構造は、縦横に並設される複数の中間支持柱を、可撓性の連結腕により、隣合う中間支持柱を略方形状にそれぞれ一体的に連結し、支持部材の隅部に設けられて中間支持柱より上方に突出する隅部支持柱が上面パネルを支承する。  上面パネルは鋼板製で略三角形状の上面部を有し、隅部支持柱上に上面部が平面視方形状となる様、向い合わせに２枚ずつ支承される。  従って略三角形状の上面パネルは、それぞれ各コーナー三点を隅部支持柱で常に支持されるので、上面パネルはがたつきを生じない。  また、上面パネルが鋼板製で剛性があるので支持部材の支持部分は多数設ける必要がないため、配線空間を広く確保することができる。  さらに、過度の荷重を加えられて上面パネルが下方に撓むと、中間支持柱が上面パネルを支持して、上面パネルの変形を防ぐ。  また、上面パネルは、設置床面に敷設した支持部材上に載置するだけで施工が完了するので、作業工数が少なく施工性が良い。
【０００６】
また、向い合う２枚の上面パネルの斜辺部間を、可撓性の有る接合変形部により接合することにより、２枚の上面パネルの敷設が一度で済み施工性が良い。
【０００７】
また、上面パネルに、側辺部を下方に折曲げた補強部を設けることにより、上面パネルの辺部の強度を向上させることができる。
【０００８】
また、支持部材を隅部支持柱と隣合う中間支持柱とを連続部により連結することにより、支持部材は設置床面に敷設するだけとなり、施工性が良い。
【０００９】
また、隅部支持柱は、筒状で下方が開口している連結胴部と、上面に上面パネルを支承する支承面を有し、設置床面に敷設された四枚の支持部材の隅部が集った集合部分で隅部集合部に連結胴部を係合して支持部材を連結することにより、支持部材を敷設する際に厳密な位置出し作業が必要なく、施工性が良い。
【００１０】
また、隅部支持柱は、支持部材の隅部上に一体に突設される支持部と、筒状で下方が開口している連結胴部と上面に支持部を挿通する挿通孔を有する金属製の連結支柱であり、設置床面に敷設された四枚の支持部材の隅部が集った集合部分で各支持柱を挿通孔に挿通して支持部材を連結することにより、支持部材を敷設する際に厳密な位置出し作業が必要なく、施工性が良い。  さらに、火災等により樹脂製の支持柱が融解しても鋼板製の上面パネルは金属製の連結支柱に保持されるので、上面パネルの落下による歩行者の負傷事故を防ぐことができる。
【００１１】
【発明の実施の形態】
本発明の実施の形態について添付図面を参照して説明する。
図１は二重床構造を示す分解斜視図であり、符号Ｗは設置床面、１は支持部材、２は隅部支持柱、３は上面パネルである。
【００１２】
支持部材１は合成樹脂製で、中間支持柱１ａが縦横に複数本並設され、可撓性のある連結腕１ｂにより、隣合う中間支持柱１ａ，１ａが一体的に連結されている。  四隅には、隅部１ｃが隣合う中間支持柱１ａと一体的に形成され、支持部材１は、略方形状に形成されている。  そして、支持部材１は、設置床面Ｗ上に隅部１ｃを突合わせた状態で複数枚が敷設される。
【００１３】
図２は二重床構造を示す図１Ａ−Ａ線の側面断面図である。  図２で示すように隅部支持柱２は、支持部材１の隅部１ｃと嵌合する嵌合穴２ａが設けられており、設置床面Ｗ上に敷設した４枚の支持部材１の隅部１ｃを突合わせた隅部集合部４と嵌合することで、支持部材１を連結している。
【００１４】
上面パネル３は剛性のある鋼板製で、方形状の支持部材１を対角線で２分するような直角二等辺三角形状であり、平坦な上面部３ａと、側辺部３ｂ及び斜辺部３ｃによって構成されている。
【００１５】
以上のように構成される二重床の施工手順について説明する。  まず、設置床面Ｗ上に支持部材１を隅部１ｃを突合わせた状態で敷きつめるように敷設する。
次に、４枚の支持部材１の隅部１ｃが集った隅部集合部４の上方から、隅部支持柱２を被せて嵌合穴２ａと隅部１ｃを嵌合させることにより、４枚の支持部材１が連結される。  この時、隅部支持柱２の支承面２ｂは中間支持柱の先端より高い位置にある。
【００１６】
次に、隅部支持柱２の支承面２ｂに上面パネル３を敷設する。  上面パネル３は、１枚の方形状の支持部材１に対して斜辺部３ｃを対向させた状態で２枚敷設される。  この時、上面パネル３は３カ所の隅部支持柱２のそれぞれの支承面２ｂによって３点で支承されており、中間支持柱１ａの先端は隅部支持柱２の支承面２ｂよりも低い位置にあるので、設置床面Ｗの不陸に追従して中間支持柱１ａの先端の高さ位置が異なっていても上面パネル３に接触せず、設置床面Ｗの不陸の影響により隅部支持柱２の支承面２ｂの高さ位置が異なっていても、上面パネル３にはがたつきが発生せず、安定した状態で支承されている。
【００１７】
また、電力線や電話線等の床下に配線されるケーブル５は、中間支持柱１ｃと連結腕部１ｂと上面パネル３とに囲まれた配線空間６内に敷設される。  上面パネル３が鋼板製であることで、上面パネル３を支承する中間支持柱１ａは間隔を広く並設されており、配線空間６は広く確保されている。
【００１８】
図３は図２と同位置の側面断面図であり、上面パネル３に過度の荷重Ｐが加わった状態を示している。  図３に示すように、上面パネル３上から荷重Ｐを加えられた場合、上面パネル３の弾性変形域内の変位量で下方に変形した後、中間支持柱１ａの先端で支承されるため、上面パネル３に弾性変形域を越えるような変形が生じるのを防止する。
【００１９】
次に、図４に示す本発明の第二実施形態について説明する。  図４は、上面パネルを変形した第二実施形態の上面パネルを示す一部欠截斜視図である。  本実施形態における上面パネル３は、斜辺部３ｃを対向させた状態の２枚の上面パネル３が可撓性の有る接合変形部３ｄにより一体的に形成されている。
【００２０】
この例において、１枚の支持部材１に対して上面パネル３の敷設が一度で済み、施工性が良いと共に、設置床面Ｗの不陸に追従して高さの異なっている隅部支持柱２の支承面２ｂに敷設した場合でも、接合変形部３ｄが変形するので、上面パネル３にはがたつきが発生せず、安定した状態で支承されている。
【００２１】
図５（ａ）（ｂ）は、上面パネルを変形した第三実施形態の上面パネルを示す一部欠截斜視図であり、図５（ａ）の上面パネル３は、側辺部３ｂ及び斜辺部３ｃを下方に屈曲した補強部３ｅが形成されている。  また、図５（ｂ）の上面パネル３は、図４に示す上面パネルの側辺部３ｂに補強部３ｅを形成したものである。
【００２２】
この例において、上面パネル３は補強部３ｅにより補強されているので、平坦な上面パネル３に比べて、板厚の薄い鋼板を使用することができる。  さらに、隣接する上面パネル３との突き合せ部分に補強部３ｅ同士が当接するので、上面パネル３の横ずれを防止することができる。
【００２３】
図６は二重床構造の第四実施態様を示す図であり、符号Ｗは設置床面、１は支持部材、２は隅部支持柱、３は上面パネルである。
【００２４】
図６で示すように、支持部材１は合成樹脂製で、中間支持柱１ａが縦横に複数本並設され、可撓性のある連結腕１ｂにより、隣合う中間支持柱１ａ，１ａが一体的に連結されている。  四隅には隅部１ｃが隣合う中間支持柱１ａと一体的に形成され、支持部材１は略方形状に形成されている。  さらに、隅部１ｃ上には中間支持柱１ａより上方に突出する支持部１ｄ（隅部支持柱２）が一体に設けられており、設置床面Ｗ上に隅部１ｃを突合わせた状態で複数枚が敷設される。
【００２５】
連結支柱７は金属製で、筒状で下方が開口した連結胴部７ａと、連結胴部７ａの上方を閉塞する支承面７ｂと、支持部材１の支持部１ｄを挿通する挿通孔７ｃが設けられている。
【００２６】
図７は二重床構造を示す図６Ｂ−Ｂ線の側面断面図である。  図７で示すように、設置床面Ｗ上に敷設した４枚の支持部材１の隅部１ｃを突合わせた隅部集合部４と連結支柱７を嵌合することで支持部材１を連結し、連結支柱７の上面に支持部１ｄを突出させて隅部支持柱２が形成されている。
【００２７】
支持部材１の支持部１ｄは、連結支柱７の挿通孔７ｃを挿通して先端が連結支柱７の支承面７ｂより突出するので、支持部材１の支持部１ｄの先端が隅部支持柱２の支承面２ｂとなり上面パネル３の支承を行う。  従って、前述の第一実施形態と同様、上面パネル３は中間支持柱１ａよりも上方に突出する隅部支持柱２の支持部１ｄによって三点支持されるので、がたつくことがない。
【００２８】
さらに、本実施形態においては、火災等により合成樹脂製の支持部材１の中間支持柱１ａ及び支持部１ｄが融解した場合でも、鋼板製の上面パネル３は、同じく鋼板製の連結支柱７の支承面７ａで支承されて落下しない。
【００２９】
また、本実施形態においては、連結支柱７を用いなくとも、二重床を構成できるので火災時の避難路とならないような場所や、機器の転倒の恐れのない場所では、連結支柱７を用いないで施工しても良い。
【００３０】
図８は二重床構造を示す図６Ｃ−Ｃ線の側面断面図である。  １ｅは支持部材１の外周に位置する中間支持柱１ａの外側部に一体に形成された位置出し部であり、図８で示すように、支持部材１の位置出し部１ｅに上面パネル３の補強部３ｅが当接することにより、所定の位置に載置される。
【００３１】
【発明の効果】
請求項１の発明によれば、略三角形状の上面パネルの各コーナー三点を隅部支持柱が常に支持しているので、設置床面の不陸に追従できると共に、上面パネルはがたつきを生じないで支承される。
【００３２】
また、過度の荷重を加えられて上面パネルが下方に撓むと、中間支持柱が上面パネルを支持するので、上面パネルの大きな変形が防がれており、耐荷重性能が良い。
【００３３】
また、設置床面に敷設した複数の支持部材に、上面パネルを敷設していくだけで作業が完了するので、施工性が良い。
【００３４】
また、支持部材には上面パネルの支持するための支持部分を多く必要としないので、配線空間を広く確保できる。
【００３５】
また、支持部材の敷設に厳密な位置出し作業が必要なく、施工性が良い。
【００３６】
請求項２の発明によれば、１枚の支持部材に対して、２枚の上面パネルの敷設が一度で済み、施工性が良い。
【００３７】
請求項３の発明によれば、補強部により上面パネルの辺部の強度が向上するので、耐荷重性能を高めることができるとともに、上面パネルの横ずれを防止できる。
【００３８】
請求項４の発明によれば、支持部材は、隅部支持柱と隣合う中間支持柱とが一体的に形成されているので、設置床面に敷設するだけとなり施工性が良い。
【００３９】
請求項５の発明によれば、火災等により樹脂製の支持柱が融解しても上面パネルは保持され、歩行者が負傷する事態を防ぐことができる。
【図面の簡単な説明】
【図１】本発明の第一実施形態の二重床構造を示す分解斜視図
【図２】図１Ａ−Ａ線の側面断面図
【図３】荷重負荷状態を示す図１Ａ−Ａ線の側面断面図
【図４】本発明の第二実施形態の上面パネルを示す一部欠截斜視図
【図５】本発明の第三実施形態の上面パネルを示す一部欠截斜視図
【図６】本発明の第四実施形態の二重床構造を示す分解斜視図
【図７】図６Ｂ−Ｂ線の側面断面図
【図８】図６Ｃ−Ｃ線の側面断面図
【符号の説明】
Ｗ    設置床面
１    支持部材
１ａ  中間支持柱
１ｂ  連結腕
１ｃ  隅部
１ｄ  支持部
１ｅ  位置出し部
２    隅部支持柱
２ａ  嵌合穴
２ｂ  支承面
３    上面パネル
３ａ  上面部
３ｂ  側辺部
３ｃ  斜辺部
３ｄ  接合変形部
３ｅ  補強部
４    隅部集合部
５    ケーブル
６    配線空間
７    連結支柱
７ａ  連結胴部
７ｂ  支承面
７ｃ  挿通孔
【図１】
0004502229.tif 000002
【図２】
0004502229.tif 000003
【図３】
0004502229.tif 000004
【図４】
0004502229.tif 000005
【図５】
0004502229.tif 000006
【図６】
0004502229.tif 000007
【図７】
0004502229.tif 000008
【図８】
0004502229.tif 000009